(57)【要約】  給電制御を行うセンター機器は、リモート端末のメイン負荷に対する電力の供給及び停止を制御するための制御信号を生成し、該制御信号をリモート端末に供給する電力に重畳して送信する。リモート端末は、受電側機器と、オン時に受電側機器とメイン負荷とを接続し、オフ時に受電側機器とメイン負荷とを切り離すスイッチと、センター機器から電力に重畳されて送信された制御信号を受信する制御信号受信部とを備え、制御信号受信部で受信した制御信号にしたがってスイッチをオンまたはオフする。
2012026300.tif 000002
【特許請求の範囲】
【請求項１】
外部から供給される電力を受電する受電側機器、自装置の主要な機能を実現する回路や機器であるメイン負荷、並びにオン時に前記受電側機器と前記メイン負荷とを接続し、オフ時に前記受電側機器と前記メイン負荷とを切り離すスイッチを備えたリモート端末と、
前記リモート端末に対する給電制御を行う給電側機器、並びに前記メイン負荷に対する電力の供給及び停止を制御するための制御信号を生成する制御信号送信部を備え、該制御信号を前記給電側機器から前記リモート端末に供給する電力に重畳して送信するセンター機器と、
を有し、
前記リモート端末は、
前記センター機器から供給される電力に重畳されて送信される前記制御信号を受信し、該制御信号にしたがって前記スイッチをオンまたはオフする制御信号受信部をさらに有する給電システム。
【請求項２】
前記給電側機器は、前記受電側機器に流れる負荷電流を検出し、
前記センター機器は、前記給電側機器で検出された前記負荷電流の値により前記メイン負荷に対して電力が供給されているか否かを判別する制御部をさらに有する請求項１記載の給電システム。
【請求項３】
前記制御部は、
前記制御信号受信部による負荷電流を検出している場合、前記リモート端末が接続されていると判別し、前記負荷電流を検出しない場合、前記リモート端末が接続されていないと判別する請求項２記載の給電システム。
【請求項４】
リモート端末に対する給電制御を行う給電側機器を備えたセンター機器が、
前記リモート端末の主要な機能を実現する回路や機器であるメイン負荷に対する電力の供給及び停止を制御するための制御信号を生成し、該制御信号を前記リモート端末に供給する電力に重畳して送信し、
前記リモート端末が、
外部から供給される電力を受電する受電側機器、前記メイン負荷、オン時に前記受電側機器と前記メイン負荷とを接続し、オフ時に前記受電側機器と前記メイン負荷とを切り離すスイッチ、前記センター機器から供給される電力に重畳されて送信された前記制御信号を受信する制御信号受信部を備え、
前記制御信号受信部で受信した前記制御信号にしたがって前記スイッチをオンまたはオフする給電方法。
【請求項５】
前記給電側機器が、前記受電側機器に流れる負荷電流を検出し、
前記センター機器が、前記給電側機器で検出された前記負荷電流の値により前記メイン負荷に対して電力が供給されているか否かを判別する請求項４記載の給電方法。
【請求項６】
前記センター機器が、
前記制御信号受信部による負荷電流を検出している場合、前記リモート端末が接続されていると判別し、前記負荷電流を検出しない場合、前記リモート端末が接続されていないと判別する請求項５記載の給電方法。
【請求項７】
リモート端末に対する給電制御を行う給電側機器と、
前記リモート端末の主要な機能を実現する回路や機器であるメイン負荷に対する電力の供給及び停止を制御するための制御信号を生成する制御信号送信部と、
を有し、
前記制御信号を前記給電側機器から前記リモート端末に供給する電力に重畳して送信するセンター機器。
【請求項８】
前記給電側機器は、前記受電側機器に流れる負荷電流を検出し、
前記給電側機器で検出された前記負荷電流の値により前記メイン負荷に対して電力が供給されているか否かを判別する制御部をさらに有する請求項７記載のセンター機器。
【請求項９】
前記制御部は、
前記制御信号受信部による負荷電流を検出している場合、前記リモート端末が接続されていると判別し、前記負荷電流を検出しない場合、前記リモート端末が接続されていないと判別する請求項８記載のセンター機器。
【請求項１０】
センター機器から電力が供給されるリモート端末であって、
前記センター機器から供給される電力を受電する受電側機器と、
自装置の主要な機能を実現する回路や機器であるメイン負荷と、
オン時に前記受電側機器と前記メイン負荷とを接続し、オフ時に前記受電側機器と前記メイン負荷とを切り離すスイッチと、
前記センター機器から供給される電力に重畳されて送信された前記制御信号を受信し、制御信号にしたがって前記スイッチをオンまたはオフする制御信号受信部と、
を有するリモート端末。
【発明の詳細な説明】
【技術分野】
【０００１】
本発明は、電力を供給する制御機器と該制御機器から受電する被制御機器とを備えた給電システム及びその給電方法に関する。
【背景技術】
【０００２】
近年、情報通信技術の発達に伴って、ネットワークに様々な機器が接続されて利用されるようになってきている。但し、工場や建物内の温度や光量の検出、扉や窓等の開閉等を検出するための各種のセンサ、監視カメラや無線ＬＡＮ（Local  Area  Network）アクセスポイント等のように、電力供給が容易な場所に設置されるとは限らない機器もある。また、ＩＰ電話機のように、従来は電源の考慮が不要であり（電話回線から給電される固定電話機）、ＬＡＮに対応する機能を追加したために電力供給が必要になった機器もある。【０００３】
そのような各種機器とのデータ通信を可能にしつつ、電力の供給も可能にする方式としては、例えばＰｏＥ（Power  over  Ethernet）が知られている。ＰｏＥについては、特許文献１等にも記載されている。【０００４】
上述したＰｏＥは、ＬＡＮケーブルを用いて電力消費が比較的少ない機器に対して直流電力を供給することを想定している。そのため、給電制御を行うＰＳＥ（Power  Sourcing  Equipment：給電側機器）と該ＰＳＥから受電するＰＤ（Powered  Device：受電側機器）間で送受可能な電力が限られている。【０００５】
また、ＰｏＥは、データの送受信と電力供給とを可能にする技術ではあるが、ＰＤを含む被制御機器（以下、リモート端末と称す）毎の状態、例えばリモート端末の主要な機能（監視カメラ、無線通信部、センサ、電話機能等）を実現する回路やメイン負荷（機器）に対する電力供給のオン／オフ等を制御するものではない。すなわち、ＰｏＥでは、上記ＰＳＥを含む制御機器（以下、センター機器と称す）によってリモート端末の状態を制御することはできない。【０００６】
リモート端末のメイン負荷に対する電力供給のオン制御を可能にする技術は、例えば特許文献２に記載されている。特許文献２では、通信インタフェースを介して外部から受信した信号を高感度整流器で電力に変換し、得られた電力によって制御部を動作させ、メイン負荷に電力を供給するための電源を該制御部により起動してリモート端末（通信装置）の主要部（メイン負荷）に対する電力供給を再開する技術が記載されている。【０００７】
しかしながら、上記特許文献２に記載された技術は、メイン負荷への電力供給を再開するための手法のみ示し、メイン負荷への電力供給を停止する（リモート端末を待機（サスペンド）状態へ移行させる）手法については何も示していない。また、特殊な部品（高感度整流器）が必要であり、汎用部品で構成できないため、リモート端末のコストが増大するおそれもある。
【先行技術文献】
【特許文献】
【０００８】
【特許文献１】特表２００８−５２９３５号公報
【特許文献２】特開２００７−２５９３３号公報
【発明の概要】
【０００９】
そこで本発明は、コストの増大を招くことなく、リモート端末のメイン負荷に対する電力の供給／停止をセンター機器で制御することが可能な給電システム及び方法を提供することを目的とする。
【００１０】
上記目的を達成するため本発明の給電システムは、外部から供給される電力を受電する受電側機器、自装置の主要な機能を実現する回路や機器であるメイン負荷、並びにオン時に前記受電側機器と前記メイン負荷とを接続し、オフ時に前記受電側機器と前記メイン負荷とを切り離すスイッチを備えたリモート端末と、
前記リモート端末に対する給電制御を行う給電側機器、並びに前記メイン負荷に対する電力の供給及び停止を制御するための制御信号を生成する制御信号送信部を備え、該制御信号を前記給電側機器から前記リモート端末に供給する電力に重畳して送信するセンター機器と、
を有し、
前記リモート端末は、
前記センター機器から供給される電力に重畳されて送信される前記制御信号を受信し、該制御信号にしたがって前記スイッチをオンまたはオフする制御信号受信部をさらに有する。
【００１１】
一方、本発明の給電方法は、リモート端末に対する給電制御を行う給電側機器を備えたセンター機器が、
前記リモート端末の主要な機能を実現する回路や機器であるメイン負荷に対する電力の供給及び停止を制御するための制御信号を生成し、該制御信号を前記リモート端末に供給する電力に重畳して送信し、
前記リモート端末が、
外部から供給される電力を受電する受電側機器、前記メイン負荷、オン時に前記受電側機器と前記メイン負荷とを接続し、オフ時に前記受電側機器と前記メイン負荷とを切り離すスイッチ、前記センター機器から供給される電力に重畳されて送信された前記制御信号を受信する制御信号受信部を備え、
前記制御信号受信部で受信した前記制御信号にしたがって前記スイッチをオンまたはオフする方法である。
【図面の簡単な説明】
【００１２】
【図１】図１は、本発明の給電システムの一構成例を示す模式図である。
【図２】図２は、第１実施例の給電システムの構成を示すブロック図である。
【図３】図３は、図２に示した給電システムの電源制御動作の一例を示すテーブル図である。
【図４】図４は、第２実施例の給電システムの構成を示すブロック図である。
【発明を実施するための形態】
【００１３】
次に本発明について図面を用いて説明する。
【００１４】
図１は本発明の給電システムの一構成例を示す模式図である。
【００１５】
図１に示すように、本発明の給電システムは、センター機器１００及びリモート端末２００を備えた構成である。センター機器１００には、配電系統から供給される交流電力を直流電力に変換するＡＣ／ＤＣ電源１０９が接続され、該ＡＣ／ＤＣ電源１０９から直流電力が供給される。センター機器１００は、ＡＣ／ＤＣ電源１０９から出力された直流電力をリモート端末２００に供給する。
【００１６】
リモート端末２００には、該リモート端末２００の主要な機能（監視カメラ、無線通信部、センサ、電話機能等）を実現する回路や機器等であるメイン負荷２１２が接続されている。図１に示すＡＣ／ＤＣ電源１０９はセンター機器１００内に備えていてもよく、メイン負荷２１２はリモート端末２００内に備えていてもよい。また、センター機器１００及びリモート端末２００には、互いにデータを送受信するための通信手段を備えていてもよい。
【００１７】
センター機器１００は、リモート端末２００に対する給電制御を行うＰＳＥ１０１と、メイン負荷２１２に対する電力の供給／停止を制御するための制御信号を生成する制御信号送信部１０２と、ＰＳＥ１０１及び制御信号送信部１０２の動作を制御する制御部１０３とを備えている。制御信号送信部１０２で生成された制御信号はＰＳＥ１０１から出力される直流電力に重畳されてリモート端末２００に送信される。
【００１８】
リモート端末２００は、センター機器１００から供給される電力を受電し、メイン負荷２１２へ供給するＰＤ２０１と、オン時にＰＤ２０１とメイン負荷２１２とを接続し、オフ時にＰＤ２０１とメイン負荷２１２とを切り離すスイッチ２１０と、センター機器１００から直流電力に重畳されて送信される制御信号を受信し、該制御信号にしたがってスイッチ２１０をオンまたはオフする制御信号受信部２０２とを備えている。
【００１９】
なお、本実施形態では、便宜上、センター機器１００が備える、給電制御を行う機器をＰＳＥ１０１と称し、リモート端末２００が備える、センター機器１００からの電力を受電する機器をＰＤ２０１と称しているが、これらの機器は、厳密にはＰｏＥで規定されたＰＳＥやＰＤを指すものではない。本実施形態のＰＳＥ１０１及びＰＤ２０１は、ＰｏＥで規定されたＰＳＥやＰＤと同様の機能を備えているが、ＰｏＥのようにＬＡＮケーブルによる接続に限定されないため、ＰＳＥ１０１からＰＤ２０１に供給可能な電力はＰｏＥで規定された値に制限されるものではない。また、ＰｏＥで規定されるＰＤは、通常、ＰＳＥから供給される直流電圧に応じて所定の負荷電流を流すことでＰＳＥによる給電制御を可能にしているが、本実施形態のＰＤ２０１はそのような機能が不要である。
【００２０】
センター機器１００は、上記ＰＳＥ１０１を備えた、例えばプログラムにしたがって所定の処理を実行するコンピュータ等の周知の情報処理装置で実現できる。
【００２１】
リモート端末２００は、上記ＰＤ２０１及びスイッチ２０３を備えた、例えば各種のセンサ、監視カメラ、照明機器、ＩＰ電話機等の電気機器である。
【００２２】
制御部１０３は、プログラムにしたがって所要の処理を実行するＣＰＵやＤＳＰ、メモリ、論理回路等を備えた周知の処理装置で実現できる。センター機器１００が情報処理装置で実現される場合、制御部１０３の機能は該情報処理装置が備えていてもよい。
【００２３】
制御信号送信部１０２及び制御信号受信部２０２は、予め決められた周波数帯域を利用する、例えば周知の周波数変調方式や振幅変調方式で信号を送受信するための回路で構成すればよい。
【００２４】
図１に示す給電システムでは、センター機器１００が備えるＰＳＥ１０１からリモート端末２００が備えるＰＤ２０１へ直流電力が供給され、ＰＤ２０１はスイッチ２１０を介してメイン負荷２１２へ電力を供給する。そのため、センター機器１００は、ＰＳＥ１０１のオン／オフにより、リモート端末２００全体に対する電力の供給／停止を制御できる。また、ＰＳＥ１０１によるＰＤ２０１への給電時、センター機器１００は、制御信号送信部１０２によりメイン負荷２１２に対する直流電力の供給／停止を制御するための制御信号を生成し、該制御信号をＰＳＥ１０１からＰＤ２０１へ供給する直流電力に重畳して送信する。
【００２５】
リモート端末２００は、直流電力に重畳された制御信号を抽出し、制御信号受信部２０２で受信する。制御信号受信部２０２は、センター機器１００から受信した制御信号にしたがってスイッチ２１０をオンまたはオフさせる。このとき、制御信号受信部２０２にはＰＤ２０１の出力端から動作に必要な電力を供給すればよい。
【００２６】
図１に示す給電システムでは、ＰＳＥ１０１に対して、ＰＤ２０１を介してメイン負荷２１２や制御信号受信部２０２が負荷として接続されるため、センター機器１００は、メイン負荷２１２に電力が供給されていなくても、制御信号受信部２０２に流れる負荷電流の有無を検出することで、リモート端末２００が接続されているか否かを判別できる。負荷電流は、例えばＰＳＥ１０１で検出すればよい。負荷電流は、電流検出用抵抗等を含む周知の電流検出回路を用いて検出できる。リモート端末２００が接続されているか否かは、制御部１０３で判別すればよい。
【００２７】
また、センター機器１００は、リモート端末２００の接続時、制御信号送信部１０２から送信する制御信号によりリモート端末２００のスイッチ２１０をオンまたはオフさせることで、メイン負荷２１２に対する直流電力の供給／停止を制御できる。したがって、リモート端末２００のメイン負荷２１２に対する電力の供給／停止をセンター機器１００で制御することが可能になる。
【００２８】
また、図１に示す給電システムでは、上記特開２００７−２５９３３号公報に記載された技術のように特殊な部品（高感度整流器）が不要であり、汎用部品で構成できるため、リモート端末２００のコストが増大することがない。
【００２９】
したがって、本実施形態の給電システムによれば、コストの増大を招くことなく、リモート端末２００のメイン負荷２１２に対する電力の供給／停止をセンター機器１００で制御することが可能になる。
【００３０】
なお、メイン負荷２１２には比較大きな負荷電流が流れ、制御信号受信部２０２には比較的少ない負荷電流が流れると考えられるため、センター機器１００（制御部１０３）は、ＰＳＥ１０１で検出した負荷電流の変化によりメイン負荷２１２に電力が供給されているか否かを判別できる。すなわち、制御信号によりメイン負荷２１２に電力を供給させているとき、例えばリモート端末２００が備える不図示の電源ボタン等の操作によりスイッチ２１０がオフされ、メイン負荷２１２に対する電力供給が停止すると、制御部１０３はＰＳＥ１０１で検出した負荷電流の値によりメイン負荷２１２に対する電力供給が停止したことを検出できる。逆に、制御信号によりメイン負荷２１２に対する電力供給を停止させているとき、上記電源ボタン等の操作によりスイッチ２１０がオンされ、メイン負荷２１２に電力が供給されると、制御部１０３はＰＳＥ１０１で検出した負荷電流の値によりメイン負荷２１２に電力が供給されていることを検出できる。そのため、制御部１０３は、スイッチ２１０のオン／オフ状態がリモート端末２００に送信した制御信号による指示と異なっていても、実際のスイッチ２１０のオン／オフ状態に基づいて所要の制御信号を送信できる。
【００３１】
したがって、図１に示す給電システムは、リモート端末２００のメイン負荷２１２に対する電力の供給／停止を、センター機器１００及びリモート端末２００の双方で制御することも可能である。図１では、制御信号受信部２０２がスイッチ２１０を直接オンまたはオフする構成例を示したが、リモート端末２００が上記電源ボタン等を備えている場合、リモート端末２００には制御信号及び電源ボタンによる指示にしたがってスイッチ２１０をオンまたはオフする駆動回路を含む制御部等を備えていてもよい。該制御部は、プログラムにしたがって所要の処理を実行するＣＰＵやＤＳＰ、メモリ、論理回路等を備えた周知の処理装置で実現できる。
【００３２】
なお、本実施形態では、センター機器１００からリモート機器２００に直流電力を供給する例で説明したが、制御信号の通信に利用する周波数帯域や通信手段が利用する周波数帯域よりも十分に低い周波数の電力であれば、本願発明はセンター機器１００からリモート機器２００に交流電力を供給する構成にも適用可能である。
【００３３】
次に、本発明の実施例について図面を用いて説明する。
（第１実施例）
図２は、第１実施例の給電システムの構成を示すブロック図である。第１実施例の給電システムは、センター機器１００とリモート端末２００とが２線式の電源ケーブル（ケーブル３００）で接続された構成例である。
【００３４】
図２に示すように、センター機器１００は、ＰＳＥ１０１、制御信号送信部１０２、制御部１０３、ＢＰＦ１０４、ＰＨＹ１０５、ＨＰＦ１０６、コンデンサ１０７、インダクタ１０８、ＡＣ／ＤＣ電源１０９及びＤＣ／ＤＣ１１０を備えている。
【００３５】
ＡＣ／ＤＣ電源１０９は、配電系統から供給される交流電力を直流電力に変換するＡＣ／ＤＣコンバータである。
【００３６】
ＰＳＥ１０１はリモート端末２００に対する給電制御を行う装置である。ＰＳＥ１０１は、ＡＣ／ＤＣ電源１０９から出力された直流電力をインダクタ１０８及びケーブル３００を介してリモート端末２００へ供給する。
【００３７】
インダクタ１０８は、ＰＳＥ１０１から出力された直流電力に含まれる交流成分を除去する。
【００３８】
制御部１０３は、ＰＳＥ１０１及び制御信号送信部１０２の動作を制御する。制御部１０３は、不図示の入出力装置とのインタフェースを備え、例えば入力装置を用いた操作者の指示にしたがって、ＰＳＥ１０１のオン／オフやリモート端末２００のメイン負荷２１２に対する直流電力の供給／停止を制御することが可能である。
【００３９】
制御信号送信部１０２は、制御部１０３の指示にしたがって、リモート端末２００のメイン負荷２１２に対する直流電力の供給／停止を制御するための制御信号を生成する。
【００４０】
ＢＰＦ（Band  Pass  Filter）１０４は、制御信号送信部１０２で生成された制御信号から、該制御信号の通信に用いる周波数帯域外の信号成分を除去する。
【００４１】
ＰＨＹ（Physical  layer）１０５は、リモート端末２００と各種のデータを送受信（データ通信）するための、周知の通信プロトコルに準拠した物理層の機能を有する通信手段である。
【００４２】
ＨＰＦ（High  Pass  Filter）１０６は、ＰＨＹ１０５で送受信するデータ信号から、リモート端末２００とのデータ通信に用いる周波数帯域外の信号成分を除去する。
【００４３】
コンデンサ１０７は、ＰＳＥ１０１から出力された直流電力から直流成分を除去する。制御信号送信部１０２で生成された制御信号やＰＨＹ１０５からリモート端末２００へ送信するデータ信号は、コンデンサ１０７を介してＰＳＥ１０１から出力される直流電力に重畳される。また、リモート端末２００から送信された、データＰＨＹ１０５で受信するデータ信号は、コンデンサ１０７を介して抽出される。
【００４４】
ＤＣ／ＤＣ１１０は、ＡＣ／ＤＣ電源１０９から出力された直流電圧を、ＣＰＵ１０３、制御信号送信部１０２及びＰＨＹ１０５用の電源電圧（直流電圧）に変換する。
【００４５】
図２に示すように、リモート端末２００は、ＰＤ２０１、制御信号受信部２０２、制御部２０３、ＢＰＦ２０４、ＰＨＹ２０５、ＨＰＦ２０６、コンデンサ２０７、インダクタ２０８、ダイオードブリッジ２０９、スイッチ２１０、ＤＣ／ＤＣ２１１、メイン負荷２１２、ＤＣ／ＤＣ２１３及び電源ボタン２１４を備えている。
【００４６】
メイン負荷２１２は、リモート端末２００の主要な機能（監視カメラ、無線通信部、センサ、電話機能等）を実現する、電力を消費する回路や機器等である。
【００４７】
電源ボタン２１４は、操作者等がメイン負荷２１２に対する直流電力の供給／停止を指示入力するためのボタンである。電源ボタン２１４の操作結果（オンまたはオフ指示）は制御部２０３へ出力される。
【００４８】
センサ２１５は、所定の事象発生を検出する。センサ２１５の検出結果は制御部２０３へ出力され、メイン負荷２１２に対する直流電力の供給／停止に利用される。このようなセンサ２１５としては、例えばメイン負荷２１２や周囲温度がしきい値以上のときに、メイン負荷２１２に対して電力を供給または停止するための温度センサ、夜間や昼間等の周囲の明るさに応じてメイン負荷２１２に対して電力を供給または停止するための光センサ等が考えられる。
【００４９】
ＰＤ２０１は、ケーブル３００を介してセンター機器１００から供給される直流電力を受電し、メイン負荷２１２に該電力を供給する装置である。
【００５０】
インダクタ２０８は、センター機器１００からケーブル３００を介して供給された直流電力に含まれる交流成分を除去する。
【００５１】
制御信号受信部２０２は、センター機器１００の制御信号送信部１０２から送信された制御信号を受信し、該制御信号を制御部２０３へ出力する。
【００５２】
制御部２０３は、電源ボタン２１４やセンサ２１５とのインタフェースを備え、電源ボタン２１４の操作結果、センサ２１５の検出結果及び制御信号受信部２０２で受信した制御信号にしたがって、スイッチ２１０をオン（接続）またはオフ（切断）させる。
【００５３】
スイッチ２１０は、制御部２０３の指示にしたがってＰＤ２０１とＤＣ／ＤＣ２１１とを接続または切り離す。
【００５４】
ＤＣ／ＤＣ２１１は、スイッチ２１０のオン時、ＰＤ２０１から出力された直流電圧を、メイン負荷２１２用の電源電圧（直流電圧）に変換する。ＤＣ／ＤＣ２１１から出力された電源電圧（直流電圧）は、メイン負荷２１２及びＰＨＹ２０５に供給される。なお、ＰＤ２０１からメイン負荷２１２用の電源電圧（直流電圧）が出力される場合、ＤＣ／ＤＣ２１１は不要である。
【００５５】
ＢＰＦ２０４は、制御信号の通信で用いる周波数帯域外の信号成分を除去し、センター機器１００の制御信号送信部１０２から送信される制御信号を抽出する。
【００５６】
ＰＨＹ２０５は、センター機器１００と各種のデータを送受信（データ通信）するための、周知の通信プロトコルに準拠した物理層の機能を有する通信手段である。
【００５７】
ＨＰＦ２０６は、ＰＨＹ１０５で送受信するデータ信号から、センター機器１００とのデータ通信に用いる周波数帯域外の信号成分を除去する。
【００５８】
コンデンサ２０７は、センター機器１００から供給される直流電力から直流成分を除去する。センター機器１００から直流電力に重畳されて送信された制御信号やデータ信号は、コンデンサ２０７を介して抽出される。また、ＰＨＹ２０５からセンター機器１００へ送信するデータ信号は、コンデンサ２０７を介してセンター機器１００から供給される直流電力に重畳される。
【００５９】
ダイオードブリッジ２０９は、センター機器１００から供給される直流電力がＰＤ２０１に対して一定の極性で入力されるように、必要に応じて極性を変更する。
【００６０】
ＤＣ／ＤＣ２１３は、ＰＤ２０１から出力された直流電圧を、制御部２０３及び制御信号受信部２０２用の電源電圧（直流電圧）に変換する。
【００６１】
図２に示したセンター機器１００では、ＰＳＥ１０１によりリモート端末２００への給電制御が実施される。ＰＳＥ１０１から出力された直流電力には、制御信号送信部１０２で生成されたメイン負荷２１２に対する直流電力の供給／停止を指示するための制御信号、並びにリモート端末２００へ送信するＰＨＹ１０５の出力信号（データ信号）が重畳され、ケーブル３００を介してリモート端末２００に送信される。
【００６２】
リモート端末２００では、センター機器１００から出力された直流電力がダイオードブリッジ２０９により一定の極性でＰＤ２０１に入力される。リモート端末２００は、ＰＤ２０１とメイン負荷２１２間にスイッチ２１０を備え、制御部２０３によりスイッチ２１０のオン／オフが制御される。制御部２０３は、電源ボタン２１４の操作結果、センサ２１５の検出結果及び制御信号受信部２０２で受信した制御信号にしたがって、スイッチ２１０をオンまたはオフさせる。制御部２０３は、制御信号によるオン／オフ指令と電源ボタン２１４やセンサ２１５によるオン／オフ指令とが一致しない場合、電源ボタン２１４やセンサ２１５によるオン／オフ指令を優先させればよい。
【００６３】
また、リモート端末２００では、コンデンサ２０７により、センター機器１００から供給された直流電力から直流成分が除去され、制御信号やＰＨＹ２０５で受信するデータ信号がコンデンサ２０７で抽出される。制御信号は、ＢＰＦ２０４により不要な周波数帯域外の信号成分が除去された後、制御信号受信部２０２で受信される。また、データ信号は、ＨＰＦ２０６を通して不要な周波数帯域外（低周波領域）の信号成分が除去された後、ＰＨＹ２０５で受信される。
【００６４】
制御信号及びデータ信号は、異なる周波数帯域を利用して送受信されるため（異なるキャリア周波数で変調された信号であるため）、ＢＰＦ２０４及びＨＰＦ２０６により制御信号受信部２０２及びＰＨＹ２０５で受信すべき周波数成分をそれぞれ抽出できる。
【００６５】
ＰＨＹ２０５には、メイン負荷２１２と同様に、スイッチ２１０の出力端に接続されたＤＣ／ＤＣ２１１から直流電力が供給される。
【００６６】
図３は、図２に示した給電システムの電源制御動作の一例を示すテーブル図である。
【００６７】
図３に示すように、操作者等の指示によりセンター機器１００のＰＳＥ１０１がオン
【００６８】
【数１】
2012026300.tif 000003
【００６９】
すると、リモート端末２００にはＰＳＥ１０１から直流電力が供給される。この段階では、メイン負荷２１２に直流電力が供給されておらず、リモート端末２００は、制御部２０３及び制御信号受信部２０２に直流電力が供給されている、アイドル（Ｉｄｌｅ）状態にある。
【００７０】
リモート端末２００のアイドル状態
【００７１】
【数２】
2012026300.tif 000004
【００７２】
において、例えば操作者等によりリモート端末２００が備える電源ボタン２１４がオンされると、制御部２０３は電源ボタン２１４の操作結果にしたがってスイッチ２１０をオンする。このとき、リモート端末２００は、動作（ＡＣＴ）状態
【００７３】
【数３】
2012026300.tif 000005
【００７４】
へ移行してメイン負荷２１２に電力が供給される。センター機器１００は、ＰＳＥ１０１により負荷電流の変化を検出することで、リモート端末２００が動作（ＡＣＴ）状態
【００７５】
【数４】
2012026300.tif 000006
【００７６】
へ移行したことを検知する。
【００７７】
また、リモート端末２００のアイドル状態
【００７８】
【数５】
2012026300.tif 000007
【００７９】
において、センター機器１００の制御信号送信部１０２から制御信号としてオン（ＯＮ）指令が送信されると、リモート端末２００は、制御信号受信部２０２で受信した制御信号にしたがって制御部２０３によりスイッチ２１０をオンする。このとき、リモート端末２００は、動作（ＡＣＴ）状態
【００８０】
【数６】
2012026300.tif 000008
【００８１】
へ移行してメイン負荷２１２に電力が供給される。
【００８２】
一方、リモート端末２００の動作（ＡＣＴ）状態
【００８３】
【数７】
2012026300.tif 000009
【００８４】
において、センター機器１００の制御信号送信部１０２から制御信号としてオフ（ＯＦＦ）指令が送信されると、リモート端末２００は、制御信号受信部２０２で受信した制御信号にしたがって制御部２０３によりスイッチ２１０をオフする。このとき、リモート端末２００はメイン負荷２１２に電力が供給されないアイドル（Ｉｄｌｅ）状態
【００８５】
【数８】
2012026300.tif 000010
【００８６】
へ戻る。
【００８７】
また、リモート端末２００の動作（ＡＣＴ）状態
【００８８】
【数９】
2012026300.tif 000011
【００８９】
において、例えば操作者等によりリモート端末２００が備える電源ボタン２１４がオフされると、制御部２０３は電源ボタン２１４の操作結果にしたがってスイッチ２１０をオフする。このとき、リモート端末２００はメイン負荷２１２に電力が供給されないアイドル（Ｉｄｌｅ）状態
【００９０】
【数１０】
2012026300.tif 000012
【００９１】
へ戻る。センター機器１００は、ＰＳＥ１０１により負荷電流の変化を検出することで、リモート端末２００が（Ｉｄｌｅ）状態
【００９２】
【数１１】
2012026300.tif 000013
【００９３】
へ移行したことを検知する。
【００９４】
操作者等の指示によりセンター機器１００のＰＳＥ１０１がオフされると、リモート端末２００に対する全ての電力供給が停止し、リモート端末２００は動作停止状態（ＯＦＦ）となる。
【００９５】
なお、図３に示す「ＯＰＥＮ」は、センター機器１００とリモート端末２００とが接続されていない状態を示している。この場合、ＰＳＥ１０１のオン／オフに関係なく、リモート端末２００は動作停止状態（ＯＦＦ）にあり、スイッチ２１０はオフである。センター機器１００は、ＰＳＥ１０１により負荷電流が検出できないため、リモート端末２００が接続されていないことを検知できる。その場合、ＰＳＥ１０１は、安全性を考慮して直流電力の出力を停止すればよい。
【００９６】
第１実施例の給電システムによれば、センター機器１００でリモート端末２００への給電制御を実施しつつ、リモート端末２００への電力供給時、センター機器１００からリモート端末２００に送信する制御信号によりメイン負荷２１２に対する電力の供給／停止を制御することが可能であり、メイン負荷２１２への電力の供給／停止を電源ボタン２１４やセンサ２１５を用いてリモート端末２００側でローカルに制御することも可能である。また、センター機器１００は、スイッチ２１０のオン／オフ状態がリモート端末２００へ送信した制御信号による指示と異なっていても、現在のスイッチ２１０のオン／オフ状態に応じて所要の制御信号を送信できる。したがって、リモート端末２００のメイン負荷２１２に対する電力の供給／停止をセンター機器１００及びリモート端末２００の双方で制御できる。
【００９７】
さらに、本実施例の給電システムでは、汎用の部品を用いて構成できるため、リモート端末２００のコストが増大することがない。
【００９８】
したがって、コストの増大を招くことなく、リモート端末２００のメイン負荷２１２に対する電力の供給／停止をセンター機器１００で制御することが可能になる。
【００９９】
また、第１実施例は、センター機器１００とリモート端末２００とが２線式の電源ケーブル（ケーブル３００）で接続されているため、上述したＰｏＥのように、ＬＡＮケーブルを用いることによるリモート端末２００に供給可能な電力が限定されることがない。
（第２実施例）
図４は、第２実施例の給電システムの構成を示すブロック図である。第２実施例の給電システムは、センター機器１００とリモート端末２００とがＬＡＮ等で用いられるＵＴＰ（Unshielded  Twisted  Pair）ケーブル（ケーブル３００）で接続された構成例である。図４では４ペアのＵＴＰケーブルを用いてセンター機器１００とリモート端末２００とが接続された構成例を示している。
【０１００】
図４に示すＰＨＹ１０５及び２０５は、Ｅｔｈｅｒｎｅｔ（登録商標）に準拠した物理層の機能を有する通信装置である。Ｅｔｈｅｒｎｅｔ（登録商標）では、ペアとなる２本のラインを用いて、正電圧及び負電圧に変化するパルス状のデータ信号が送受信される。そのため、ＰＨＹ１０５及び２０５は、ペアとなる２本のライン毎にパルストランスを介して接続される。直流電力は、例えばデータ信号の送信に用いるペアのラインに対応するパルストランスの中点と、データ信号の受信に用いるペアのラインに対応するパルストランスの中点とを用いて送電される。直流電力の送電に用いるライン（ペア）は、例えばデータの送受信に用いているライン（図４に示す例では、ライン１−２、３−６）でもよく、データの送受信に用いていない予備のライン（図４に示す例では、ライン４−５、７−８）でもよい。Ｅｔｈｅｒｎｅｔ（登録商標）では、図４に示すライン４−５、７−８もデータの送受信に用いる場合がある。
【０１０１】
図４に示す構成では、センター機器１００からリモート端末２００に供給する直流電力に制御信号のみ重畳されるため、データ信号を抽出するための図２に示したＨＰＦ１０６やＨＰＦ２０６が不要である。その他の構成及び動作は、図２に示した第１実施例の給電システムと同様であるため、ここではその説明を省略する。
【０１０２】
第２実施例の給電システムにおいても、第１実施例と同様に、センター機器１００でリモート端末２００への給電制御を実施しつつ、リモート端末２００への電力供給時、センター機器１００からリモート端末２００に送信する制御信号によりメイン負荷２１２に対する電力の供給／停止を制御することが可能であり、メイン負荷２１２への電力の供給／停止を電源ボタン２１４やセンサ２１５を用いてリモート端末２００側でローカルに制御することも可能である。また、センター機器１００は、スイッチ２１０のオン／オフ状態がリモート端末２００へ送信した制御信号による指示と異なっていても、現在のスイッチ２１０のオン／オフ状態に応じて所要の制御信号を送信できる。したがって、リモート端末２００のメイン負荷２１２に対する電力の供給／停止をセンター機器１００及びリモート端末２００の双方で制御できる。
【０１０３】
さらに、本実施例の給電システムでは、汎用の部品を用いて構成できるため、リモート端末２００のコストが増大することがない。
【０１０４】
したがって、コストの増大を招くことなく、リモート端末２００のメイン負荷２１２に対する電力の供給／停止をセンター機器１００で制御することが可能になる。
【０１０５】
以上、実施形態を参照して本願発明を説明したが、本願発明は上記実施形態に限定されものではない。本願発明の構成や詳細は本願発明のスコープ内で当業者が理解し得る様々な変更が可能である。
【０１０６】
この出願は、２０１０年８月２３日に出願された特願２０１０−１８６３７６号を基礎とする優先権を主張し、その開示の全てをここに取り込む。
【図１】
2012026300.tif 000014
【図２】
2012026300.tif 000015
【図３】
2012026300.tif 000016
【図４】
2012026300.tif 000017
【国際調査報告】
2012026300.tif 000018
2012026300.tif 000019